(57)【特許請求の範囲】
【請求項１】
筐体の一側面に形成された開口窓から露呈し、前記筐体内の電気部品と離れた場所の電気部品とを電気的に接続する複数の端子台を備え、前記複数の端子台を取付板に取り付けたものに於いて、前記複数の端子台を上下に縦に並べると共に、前記複数の端子台それぞれの底部の接続線の挿入穴が開口窓方向を向くように、前記取付板に対して傾斜させて取り付け、前記端子台の傾斜は、下方に位置する前記端子台ほど、前記取付板に対して前記開口窓方向に向かう傾斜角度が広くなるようにした事を特徴とするヒートポンプ装置。
【発明の詳細な説明】
【技術分野】
【０００１】
この発明は、省スペースでありながら接続線の接続をやりやすくした端子台を備えたヒートポンプ装置に関するものである。
【背景技術】
【０００２】
従来よりこの種のものに於いては、室外のヒートポンプ装置と離れた場所に設置された電気部品である複数の室内機等を冷媒配管と、電源線や信号線からなる接続線とで接続して、運転させて冷房や暖房を行うようにしたものであった。（例えば、特許文献１）
【先行技術文献】
【特許文献】
【０００３】
【特許文献１】特許第５２３１３８３号公報
【発明の概要】
【発明が解決しようとする課題】
【０００４】
ところでこの従来のものでは、冷媒配管は縦に並べているが、接続線が接続される端子台の複数個は横に並べられているので、接続線の接続作業は容易に行われるが、端子台の取り付けに場所を取り、ヒートポンプ装置自体が大型化すると言う課題を有するものであった。
【課題を解決するための手段】
【０００５】
この発明は上記課題を解決する為に、特にその構成を、筐体の一側面に形成された開口窓から露呈し、前記筐体内の電気部品と離れた場所の電気部品とを電気的に接続する複数の端子台を備え、前記複数の端子台を取付板に取り付けたものに於いて、前記複数の端子台を上下に縦に並べると共に、前記複数の端子台それぞれの底部の接続線の挿入穴が開口窓方向を向くように、前記取付板に対して傾斜させて取り付け、前記端子台の傾斜は、下方に位置する前記端子台ほど、前記取付板に対して前記開口窓方向に向かう傾斜角度が広くなるようにしたものである。
【発明の効果】
【０００７】
以上のようにこの発明によれば、複数の端子台を上下に縦に並べ、更にこの各端子台を底部の接続線の挿入穴が開口窓方向を向くように、取付板に対して傾斜させて取り付けたことで、端子台の取り付けに場所を取らず省スペースで良く器具の大型化が阻止され、しかも、端子台の接続線の挿入穴が開口窓を向いているので、接続線の端子台との接続がやりやすく、又接続線が極端に折れ曲がることなく切れる恐れもなく、安心して使用出来、また、端子台の傾斜は、下方に位置する端子台ほど、取付板に対して開口窓方向に向かう傾斜角度が広くなるようにしたので、下側の端子台と接続線との接続が更にやりやすくなり、しかも、上下の端子台の傾斜角度が異なることから、接続後の接続線の引き回しが楽となり無理な引き回しで切れる心配がないものである。
【図面の簡単な説明】
【０００９】
【図１】この発明の実施形態を示すヒートポンプ装置の外観斜視図。
【図２】同ヒートポンプ装置のカバー体を外した状態の外観斜視図。
【図３】同要部の拡大斜視図。
【図４】同要部の拡大側面図。
【発明を実施するための形態】
【００１０】
この発明の実施形態に係るヒートポンプ装置の構成について図面を参照しながら詳細に説明する。
１は熱源機を構成するヒートポンプ装置で、筐体２で囲われた内部には、冷媒を圧縮する圧縮機（図示せず）と、圧縮機から吐出された高温の冷媒を流通させ、この高温の冷媒と加熱循環回路（図示せず）を流れる循環液との熱交換を行う凝縮器（図示せず）と、凝縮器から流出する冷媒を減圧する膨張弁（図示せず）と、膨張弁からの減圧された低温の冷媒と地中熱循環回路を流れる熱媒との熱交換を行う蒸発器（図示せず）と、これらを環状に接続するして構成されている。
【００１１】
３は筐体２の一側面の上部に形成された開口窓で、この開口窓３には取付板４に固定金具５、６をネジ７で固定することで、取付板４の一側に上下に縦に２台の端子台８、９が固定され外部に露呈しているもので、この上の端子台８は、固定金具５の下部を持ち上げることで、上の端子台８を底部の接続線１０の挿入穴１１が開口窓３方向を向くように、取付板４から２０度の傾斜角度を持って傾斜させており、一方下の端子台９は、固定金具６がくの字に折り曲げることで、下の端子台９を底部の接続線１２の挿入穴１３が開口窓３方向を向くように、取付板４から４５度の傾斜角度を持って傾斜させており、上下の端子台８、９で傾斜角度を相違させ、下方に行く程その傾斜角度が広くなるようにしたので、下側の端子台９と接続線１２との接続が更にやりやすくなり、しかも、上下の端子台８、９の傾斜角度が異なることから、接続後の接続線１０、１２の引き回しが楽となり無理な引き回しで切れる心配がないものである。
【００１２】
前記端子台８、９には、筐体２内の圧縮機や膨張弁や制御基板（図示せず）等の電気部品とリード線を介して接続するための結線部１４、１５が備えられており、この上下の端子台８、９に、電源線や信号線である前記接続線１０、１２を開口窓３を介して外部から接続することで、ヒートポンプ装置１とは離れた場所に設置されている同じようなヒートポンプ装置（図示せず）の電気部品と電気的に接続され、ヒートポンプ装置１の制御基板で両者の連動して駆動制御することが可能となるものである。
【００１３】
１６は取付板４の他側に取付られた安全用の漏電遮断機で、単相２００Ｖの外部電源が接続され電源を得るものであり、１７は筐体２の一側面で開口窓３の下方に取付られた冷媒配管１８が接続される配管接続部であり、１９は配線接続が終了した開口窓３と冷媒配管１８の接続が終了した配管接続部１７とを同時に覆うことができるカバー体である。
【００１４】
次にこの実施形態のヒートポンプ装置１の配線接続について説明すれば、先ずヒートポンプ装置１の筐体２の一側面に備えられているカバー体１９を取外して、開口窓３から露呈し該開口窓３方向に挿入穴１１、１３を向けた上下の端子台８、９に、接続線１０、１２を挿入し締め付ければ配線接続は終了し、そして漏電遮断機１６に電源線を接続し、配管接続部１７に冷媒配管１８を接続した後、この接続部分をカバー体１９で覆えば作業は終了するものである。
【００１５】
このように、複数の端子台８、９を上下に縦に並べ、更にこの各端子台８、９を底部の接続線１０、１２の挿入穴１１、１３が開口窓３方向を向くように傾斜させたことで、端子台８、９の取り付けに場所を取らず省スペースで良く器具の大型化が阻止され、しかも、端子台８、９の接続線１０、１２の挿入穴１１、１３が開口窓３を向いているので、接続線１０、１２の端子台８、９との接続がやりやすく、又接続線１０、１２が極端に折れ曲がることなく切れる恐れもなく、安心して使用出来るものである。
【００１６】
又前記端子台８、９の傾斜を、下方に行く程その傾斜角度が広くなるようにしたので、下側の端子台８、９と接続線１０、１２との接続が更にやりやすくなり、しかも、上下の端子台８、９の傾斜角度が異なることから、接続後の接続線１０、１２の引き回しが楽となり無理な引き回しで切れる心配がないものである。
【符号の説明】
【００１７】
１  ヒートポンプ装置
２  筐体
３  開口窓
８、９  端子台
１０、１２  接続線
１１、１３  挿入穴
【図１】
0006453589.tif 000002
【図２】
0006453589.tif 000003
【図３】
0006453589.tif 000004
【図４】
0006453589.tif 000005